(57)【特許請求の範囲】
【請求項１】
紙の積層体を収容する容器本体が、１枚の紙体を折り曲げて箱形状に作製したものからなり、前後方向に沿って延びる紙取り出し口が穿設されこの紙取り出し口から上記積層体の紙が１枚ずつ取り出せる上面部と、下面部と、左右に対向する第１および第２側面部と、前後に対向する第３および第４側面部と、上記上面部を蓋する蓋体部と、連結部とを備え、かつ、上記紙体に、その一側から他側にかけて順に、蓋体部，下面部，第１側面部，上面部，第２側面部，連結部が折り曲げ線により区画形成されているとともに、上記蓋体部と下面部とを区画する折り曲げ線に、上記連結部を挿通しうる切り目が形成され、上記紙体を各折り曲げ線に沿って折り曲げ上記切り目に連結部を挿通させることにより、上記容器本体の左右両側部の一側部に連結部を設けるように構成し、この連結部に、携帯用手帳のとじ具に係合しうる係合穴部が設けられていることを特徴とする収納容器。
【請求項２】
上記携帯用手帳がシステム手帳である請求項１記載の収納容器。
【請求項３】
上記紙があぶらとり紙である請求項１または２記載の収納容器。
【発明の詳細な説明】
【０００１】
【発明の属する技術分野】
本発明は、化粧用あぶらとり紙やティッシュペーパー等の化粧用紙を収納する収納容器に関するものである。
【０００２】
【従来の技術】
従来から、化粧用あぶらとり紙等の化粧用紙を多数積層状態にして収納しうる携帯用ケースが各種出回っており、コンパクト等とともにハンドバッグ等に入れられて携帯されることが多い。このような携帯用ケースとして、図８に示すものがある。このものは、一側部にポケット５２を設けたカバー５１と、上記ポケット５２に収容しうるケース５３とからなり、このケース５３内に、図９に示すように、多数の化粧用紙５０ａを所定の折り方で折り畳んで積み重ねた紙積層体５０を収納している。上記ケース５３には、その上面に紙取り出し口５３ａを形成し、この紙取り出し口５３ａに対応する上記ポケット５２の部分に紙取り出し口５２ａを形成している。そして、使用時には、両紙取り出し口５２ａ，５３ａから化粧用紙５０ａを１枚ずつ取り出せるようにしている。また、使用後には、カバー５１の他側部５１ａをポケット５２側に折り返し、両紙取り出し口５２ａ，５３ａから突き出している化粧用紙５０ａを覆うようにしている。
【０００３】
【発明が解決しようとする課題】
しかしながら、最近では、女性がシステム手帳等の携帯用手帳を携帯することが多くなっており、ハンドバッグ等から携帯用手帳を取り出すついでに、化粧用あぶらとり紙等を使用することも行われている。また、男性が化粧用あぶらとり紙等を使用することも多くなってきており、携帯用手帳と一緒に化粧用あぶらとり紙等を持ち歩くことも多くなってきている。そこで、携帯用手帳と一緒に携帯するのに便利な化粧用紙の収納容器が強く要望されている。しかも、図８に示す携帯用ケースでは、これをハンドバッグ等に入れて携帯する際に、ハンドバッグ等が大きく揺れると、携帯用ケースが周囲の他物に当たって損傷するおそれがある。
【０００４】
本発明は、このような事情に鑑みなされたもので、携帯用手帳と一緒に携帯するのに便利で、しかも、携帯時に周囲の他物に当たって損傷するおそれのない収納容器の提供をその目的とする。
【０００５】
【課題を解決するための手段】
上記の目的を達成するため、本発明の収納容器は、紙の積層体を収容する容器本体が、１枚の紙体を折り曲げて箱形状に作製したものからなり、前後方向に沿って延びる紙取り出し口が穿設されこの紙取り出し口から上記積層体の紙が１枚ずつ取り出せる上面部と、下面部と、左右に対向する第１および第２側面部と、前後に対向する第３および第４側面部と、上記上面部を蓋する蓋体部と、連結部とを備え、かつ、上記紙体に、その一側から他側にかけて順に、蓋体部，下面部，第１側面部，上面部，第２側面部，連結部が折り曲げ線により区画形成されているとともに、上記蓋体部と下面部とを区画する折り曲げ線に、上記連結部を挿通しうる切り目が形成され、上記紙体を各折り曲げ線に沿って折り曲げ上記切り目に連結部を挿通させることにより、上記容器本体の左右両側部の一側部に連結部を設けるように構成し、この連結部に、携帯用手帳のとじ具に係合しうる係合穴部が設けられているという構成をとる。
【０００６】
すなわち、本発明の収納容器は、紙の積層体を収容する容器本体の一側部に、携帯用手帳のとじ具に係合しうる係合穴部が設けられているため、この容器本体の係合穴部を携帯用手帳のとじ具に係合させることにより、携帯用手帳と一緒に携帯して持ち歩くことができる。しかも、容器本体が携帯用手帳で保護されているため、ハンドバッグ等に入れて携帯する際に、ハンドバッグ等が大きく揺れても、容器本体が損傷するおそれはない。
【０００７】
本発明において、上記携帯用手帳がシステム手帳である場合には、システム手帳のとじ具（リングとじ具，パイプ式とじ具等の各種とじ具）を利用して、容器本体をシステム手帳に取り付けることができ、非常に便利でる。
【０００８】
また、本発明において、上記紙があぶらとり紙である場合には、あぶらとり紙を携帯用手帳と一緒に携帯することができる。
【０００９】
【発明の実施の形態】
つぎに、本発明の実施の形態を図面にもとづいて詳しく説明する。
【００１０】
図１は本発明の収納容器の一実施の形態を示している。図において、１は紙製の収納容器であり、上面に紙取り出し口２ａが形成された収納部（容器本体）２と、この収納部２の上面を蓋する蓋体部３と、上記収納部２の一側（図面では、左側）から突出する連結部４とからなる。そして、上記収納部２の内部に、図２に示すように、あぶらとり紙５ａの積層体５（矩形シート状のあぶらとり紙５ａを所定の折り方で折り畳んで積み重ねた積層体５）が収納されている。
【００１１】
上記収納容器１は、図３に示す１枚の略長方形平板状の紙体１０を折り曲げて作製したものであり、その一側から他側（図面では、右側）にかけて、順に、第１〜第５折り曲げ線３１〜３５により、蓋部１１，接続部１２，下面部１３，第１側面部１４，上面部１５および第２側面部１６に区画形成されている。
【００１２】
上記蓋部１１には、その左端縁の略中央部から長方形状の係合片１１ａが延設されている。この係合片１１ａは、蓋部３で収納部２の上面を蓋する際に、後述する第２切り目２０に挿通される。
【００１３】
上記下面部１３の左端縁（もしくは、接続部１２，下面部１３を連結する第２折り曲げ線３２）には、上記連結部４を挿通しうる第１切り目１７が形成されている。また、上記下面部１３の前後両端縁から第６および第７折り曲げ線３６，３７を介して第１および第２のり付け部１８，１９が延設されている。
【００１４】
上記上面部１５には、その略中央部に、前後方向に沿って延びる長方形状の紙取り出し口２ａが穿設されており、その左端縁（もしくは、第１側面部１４，上面部１５を連結する第４折り曲げ線３４）には、上記蓋部１１の係合片１１ａを挿通しうる第２切り目２０が形成されている。また、上記上面部１５には、その前後両端縁から第８および第９折り曲げ線３８，３９を介して第３側面部２１および第４側面部２２が延設されているとともに、各側面部２１，２２に第１０および第１１折り曲げ線４０，４１を介して第３および第４のり付け部２３，２４が延設されている。
【００１５】
また、上記第２側面部１６には、その右端縁に第１２折り曲げ線４２を介して連結部４が延設されており、この連結部４に、後述するシステム手帳８のリングとじ具９（図５参照）に挿通しうる前後一対の係合穴部４ａが穿設されている。また、上記第２側面部１６の右端縁には、上記連結部４の前後両側に第１３および第１４折り曲げ線４３，４４を介して第１および第２折り返し部２５，２６が延設されている。
【００１６】
上記紙体１０を用い、例えば、つぎのようにして折り曲げ（図４参照）、図１に示す収納容器１を作製することができる。すなわち、第１，第２折り曲げ線３１，３２に沿って蓋部１１，接続部１２（これら蓋部１１，接続部１２で蓋体部３が構成されている）を下面部１３に対し少し上向きに折り曲げる。
【００１７】
また、第３〜第５折り曲げ線３３〜３５に沿って第１側面部１４，上面部１５，第２側面部１６をそれぞれ略直角に折り曲げる。また、第８，第９折り曲げ線３８，３９に沿って第３側面部２１，第４側面部２２をそれぞれ略直角に折り曲げる。
【００１８】
また、第６，第７，第１０，第１１折り曲げ線３６，３７，４０，４１に沿って第１〜第４のり付け部１８，１９，２３，２４を折り曲げるとともに、第１３，第１４折り曲げ線４３，４４に沿って第１，第２折り返し部２５，２６を折り曲げる。このような折り曲げの際に、連結部４を適宜折り曲げて第１切り目１７に挿通しておく（図２参照）。
【００１９】
そして、第１，第３のり付け部１８，２３同士および第２，第４のり付け部１９，２４同士をのり付けして固定し、収納部２を形成することを行う。これにより、図１に示す収納容器１を作製することができる。
【００２０】
このようにして作製した収納容器１の連結部４の２つの係合穴部４ａを、図５（図５には、蓋体部３は示されていない）に示すように、システム手帳８に設けた６つのリングとじ具９（図６参照。ただし、図６には、４つのリングとじ具９しか示されていない）のうち、２つのリングとじ具９に挿通する。これにより、収納容器１をシステム手帳８と一体化することができ、システム手帳８と一緒に携帯することができる。
【００２１】
上記あぶらとり紙５ａの積層体５は、例えば、図７に示すように、多数のあぶらとり紙５ａをそれぞれ中央から二つ折りし、上下に隣り合うあぶらとり紙５ａ同士を対向状に配設し、上側のあぶらとり紙５ａの下側片上に下側のあぶらとり紙５ａの上側片を載置したものであり、これにより各あぶらとり紙５ａを１枚ずつ取り出せるようにしている。
【００２２】
このように、上記実施の形態では、あぶらとり紙５ａの積層体５を収納した容器本体１をシステム手帳８と一緒に携帯することができ、非常に便利である。しかも、容器本体１はシステム手帳８に保護されており、携帯時に破損等することがない。
【００２３】
なお、上記実施の形態では、収納容器１にあぶらとり紙５ａを収納しているが、これに限定するものではなく、ティッシュペーパー等の各種の化粧用紙を収納することができる。
【００２４】
【発明の効果】
以上のように、本発明の収納容器によれば、紙の積層体を収容する容器本体の一側部に、携帯用手帳のとじ具に係合しうる係合穴部が設けられているため、この容器本体の係合穴部を携帯用手帳のとじ具に係合させることにより、携帯用手帳と一緒に携帯して持ち歩くことができる。しかも、容器本体が携帯用手帳で保護されているため、ハンドバッグ等に入れて携帯する際に、ハンドバッグ等が大きく揺れても、容器本体が損傷するおそれはない。
【００２５】
本発明において、上記携帯用手帳がシステム手帳である場合には、システム手帳のとじ具（リングとじ具，パイプ式とじ具等の各種とじ具）を利用して、容器本体をシステム手帳に取り付けることができ、非常に便利である。
【００２６】
また、本発明において、上記紙があぶらとり紙である場合には、あぶらとり紙を携帯用手帳と一緒に携帯することができる。
【図面の簡単な説明】
【図１】本発明の収納容器の一実施の形態を示す斜視図である。
【図２】上記収納容器の拡大断面図である。
【図３】紙体の平面図である。
【図４】上記紙体の折り曲げ要領を示す説明図である。
【図５】システム手帳に収納容器を一体化した状態を示す斜視図である。
【図６】上記システム手帳に設けたリングとじ具の説明図である。
【図７】積層体の積層要領を示す説明図である。
【図８】従来例を示す斜視図である。
【図９】ケースの拡大斜視図である。
【符号の説明】
１  収納容器
２  収容部
４ａ  係合穴部
５ａ  あぶらとり紙
【図１】
0003562757.tif 000002
【図２】
0003562757.tif 000003
【図３】
0003562757.tif 000004
【図４】
0003562757.tif 000005
【図５】
0003562757.tif 000006
【図６】
0003562757.tif 000007
【図７】
0003562757.tif 000008
【図８】
0003562757.tif 000009
【図９】
0003562757.tif 000010